【手続補正書】
【提出日】平成15年10月1日(2003.10.1)
【手続補正１】
【補正対象書類名】明細書
【補正対象項目名】特許請求の範囲
【補正方法】変更
【補正の内容】
【特許請求の範囲】
【請求項１】
建設機械の車体に搭載されボルト挿通孔を有するウエイトと、該ウエイトを前記ボルト挿通孔を介して前記車体に取付けるボルトとにより構成してなる建設機械のカウンタウエイト装置において、
前記ウエイトには、前記ボルト挿通孔の周囲に位置して前記ボルトの頭部を収容するボルト収容凹部と、動力レンチを用いて前記ボルトを締付けるときの反力を受承する反力受承部とを設け、
前記動力レンチは、前記ボルトの頭部に嵌合するソケットによって前記ボルトを回転させる回転源と、該回転源によってボルトを締付けるときの反力を受ける反力受けとにより構成し、
前記ウエイトの反力受承部は、前記ボルト収容凹部の内周面に設けられ前記動力レンチの反力受けが引掛けられる引掛面により構成したことを特徴とする建設機械のカウンタウエイト装置。
【請求項２】
建設機械の車体に搭載されボルト挿通孔を有するウエイトと、該ウエイトを前記ボルト挿通孔を介して前記車体に取付けるボルトとにより構成してなる建設機械のカウンタウエイト装置において、
前記ウエイトには、前記ボルト挿通孔の周囲に位置して前記ボルトの頭部を収容するボルト収容凹部と、動力レンチを用いて前記ボルトを締付けるときの反力を受承する反力受承部とを設け、
前記動力レンチは、前記ボルトの頭部に嵌合するソケットによって前記ボルトを回転させる回転源と、該回転源によってボルトを締付けるときの反力を受ける反力受けとにより構成し、
前記ウエイトの反力受承部は、前記ボルト収容凹部とは異なる位置で前記ウエイトに突設され前記動力レンチの反力受けが引掛けられる突起部により構成したことを特徴とする建設機械のカウンタウエイト装置。
【請求項３】
建設機械の車体に搭載されボルト挿通孔を有するウエイトと、該ウエイトを前記ボルト挿通孔を介して前記車体に取付けるボルトとにより構成してなる建設機械のカウンタウエイト装置において、
前記ウエイトには、前記ボルト挿通孔の周囲に位置して前記ボルトの頭部を収容するボルト収容凹部と、動力レンチを用いて前記ボルトを締付けるときの反力を受承する反力受承部とを設け、
前記動力レンチは、前記ボルトの頭部に嵌合するソケットによって前記ボルトを回転させる回転源と、該回転源によってボルトを締付けるときの反力を受ける反力受けとにより構成し、
前記ウエイトの反力受承部は、前記ボルト収容凹部とは異なる位置で前記ウエイトに凹設され前記動力レンチの反力受けが引掛けられる引掛凹部により構成したことを特徴とする建設機械のカウンタウエイト装置。
【請求項４】
建設機械の車体に搭載されボルト挿通孔を有するウエイトと、該ウエイトを前記ボルト挿通孔を介して前記車体に取付けるボルトとにより構成してなる建設機械のカウンタウエイト装置において、
前記ウエイトには、前記ボルト挿通孔の周囲に位置して前記ボルトの頭部を収容するボルト収容凹部と、動力レンチを用いて前記ボルトを締付けるときの反力を受承する反力受承部とを設け、
前記動力レンチは、前記ボルトの頭部に嵌合するソケットによって前記ボルトを回転させる回転源と、該回転源によってボルトを締付けるときの反力を受ける反力受けとにより構成し、
前記ウエイトの反力受承部は、前記ウエイトのボルト収容凹部に着脱可能に取付けられ内周面に前記動力レンチの反力受けが引掛けられるアダプタにより構成したことを特徴とする建設機械のカウンタウエイト装置。
【手続補正２】
【補正対象書類名】明細書
【補正対象項目名】００１０
【補正方法】変更
【補正の内容】
【００１０】
そして、請求項１の発明が採用する構成の特徴は、ウエイトには、ボルト挿通孔の周囲に位置して前記ボルトの頭部を収容するボルト収容凹部と、動力レンチを用いて前記ボルトを締付けるときの反力を受承する反力受承部とを設け、前記動力レンチは、前記ボルトの頭部に嵌合するソケットによって前記ボルトを回転させる回転源と、該回転源によってボルトを締付けるときの反力を受ける反力受けとにより構成し、前記ウエイトの反力受承部は、前記ボルト収容凹部の内周面に設けられ前記動力レンチの反力受けが引掛けられる引掛面により構成したことにある。


【手続補正３】
【補正対象書類名】明細書
【補正対象項目名】００１１
【補正方法】変更
【補正の内容】
【００１１】
このように構成したことにより、動力レンチを用いてボルトを締付けるときの反力を、反力受承部を介してウエイトによって受けることができるので、動力レンチを用いてボルトを確実に締付けることができる。この場合、ウエイトに設けたボルト収容凹部の内周面を、動力レンチの反力受けが引掛けられる引掛面として利用できる。そして、この状態で動力レンチの回転源に設けたソケットによりボルトを回転させると、動力レンチに作用する反力を、反力受けを介してウエイトの引掛面により受承することができ、動力レンチに作用する反力を確実に受けることができる。また、ウエイトに設けられたボルト収容凹部を反力受承部として利用することにより、該反力受承部を個別にウエイトに設ける必要がなく、カウンタウエイトの外観美を高めることができる。
【手続補正４】
【補正対象書類名】明細書
【補正対象項目名】００１２
【補正方法】変更
【補正の内容】
【００１２】
また、請求項２の発明が採用する構成の特徴は、ウエイトには、ボルト挿通孔の周囲に位置してボルトの頭部を収容するボルト収容凹部と、動力レンチを用いて前記ボルトを締付けるときの反力を受承する反力受承部とを設け、前記動力レンチは、前記ボルトの頭部に嵌合するソケットによって前記ボルトを回転させる回転源と、該回転源によってボルトを締付けるときの反力を受ける反力受けとにより構成し、前記ウエイトの反力受承部は、前記ボルト収容凹部とは異なる位置で前記ウエイトに突設され前記動力レンチの反力受けが引掛けられる突起部により構成したことにある。


【手続補正５】
【補正対象書類名】明細書
【補正対象項目名】００１３
【補正方法】変更
【補正の内容】
【００１３】
このように構成したことにより、動力レンチの反力受けをウエイトに設けた突起部に引掛けた状態で、動力レンチの回転源に設けたソケットよってボルトを回転させると、動力レンチに作用する反力を、ウエイトの突起部によって受承することができ、動力レンチを用いてボルトを確実に締付けることができる。


【手続補正６】
【補正対象書類名】明細書
【補正対象項目名】００１４
【補正方法】変更
【補正の内容】
【００１４】
また、請求項３の発明が採用する構成の特徴は、ウエイトには、ボルト挿通孔の周囲に位置してボルトの頭部を収容するボルト収容凹部と、動力レンチを用いて前記ボルトを締付けるときの反力を受承する反力受承部とを設け、前記動力レンチは、前記ボルトの頭部に嵌合するソケットによって前記ボルトを回転させる回転源と、該回転源によってボルトを締付けるときの反力を受ける反力受けとにより構成し、前記ウエイトの反力受承部は、前記ボルト収容凹部とは異なる位置で前記ウエイトに凹設され前記動力レンチの反力受けが引掛けられる引掛凹部により構成したことにある。


【手続補正７】
【補正対象書類名】明細書
【補正対象項目名】００１５
【補正方法】変更
【補正の内容】
【００１５】
このように構成したことにより、ウエイトに設けた引掛凹部に動力レンチの反力受け部を引掛けることができ、動力レンチに作用する反力をウエイトの引掛凹部によって受承できると共に、動力レンチを用いてボルトを確実に締付けることができる。


【手続補正８】
【補正対象書類名】明細書
【補正対象項目名】００１６
【補正方法】変更
【補正の内容】
【００１６】
さらに、請求項４の発明が採用する構成の特徴は、ウエイトには、ボルト挿通孔の周囲に位置してボルトの頭部を収容するボルト収容凹部と、動力レンチを用いて前記ボルトを締付けるときの反力を受承する反力受承部とを設け、前記動力レンチは、前記ボルトの頭部に嵌合するソケットによって前記ボルトを回転させる回転源と、該回転源によってボルトを締付けるときの反力を受ける反力受けとにより構成し、前記ウエイトの反力受承部は、前記ウエイトのボルト収容凹部に着脱可能に取付けられ内周面に前記動力レンチの反力受けが引掛けられるアダプタにより構成したことにある。


【手続補正９】
【補正対象書類名】明細書
【補正対象項目名】００１７
【補正方法】変更
【補正の内容】
【００１７】
このように構成したことにより、ウエイトのボルト収容凹部に着脱可能に取付けたアダプタに動力レンチの反力受けを引掛けた状態で、動力レンチの回転源よってボルトを回転させると、動力レンチに作用する反力を、アダプタの内周面によって受承することができ、動力レンチを用いてボルトを確実に締付けることができる。そして、例えばウエイトに設けられている既設のボルト収容凹部に、動力レンチの反力受けを直接的に引掛けることができない場合でも、該ボルト収容凹部にアダプタを取付け、このアダプタの内周面に動力レンチの反力受けが引掛けられることができる。このため、動力レンチを用いてボルトを締付けるときの反力を、アダプタを介してウエイトによって受けることができる。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００７７
【補正方法】変更
【補正の内容】
【００７７】
【発明の効果】
以上詳述した通り、請求項１の発明によれば、ボルトによって車体に取付けられるウエイトに、ボルト挿通孔の周囲に位置してボルトの頭部を収容するボルト収容凹部と、動力レンチを用いて前記ボルトを締付けるときの反力を受承する反力受承部とを設け、この反力受承部を、前記ボルト収容凹部の内周面からなり前記動力レンチの反力受けが引掛けられる引掛面により構成したので、ウエイトに設けたボルト収容凹部の内周面を、動力レンチの反力受けが引掛けられる引掛面として利用できる。そして、動力レンチを用いてボルトを締付けるときに該動力レンチの反力受けをウエイトの引掛面に引掛けた状態で、動力レンチの回転源によってボルトを回転させることにより、動力レンチに作用する反力を、反力受承部を介してウエイトによって確実に受けることができ、動力レンチを用いてボルトを強固に締付けることができる。


【手続補正１３】
【補正対象書類名】明細書
【補正対象項目名】００７８
【補正方法】変更
【補正の内容】
【００７８】
このため、例えば作業者が手動式のレンチを用いてボルトを締付ける場合に比較して、ウエイトの取付作業を容易に行うことができ、その作業性を大幅に向上することができる。また、動力レンチを用いてボルトを締付けることにより、このボルトに対する締付トルクを略一定にすることができ、ボルトの締付け不足による緩みや折損といった不具合を低減することができ、カウンタウエイト装置の信頼性を高めることができる。また、ウエイトに設けたボルト収容凹部の内周面を引掛面として利用し、この引掛面に動力レンチの反力受けを引掛けることにより、動力レンチに作用する反力を確実に受けることができる。そして、ウエイトに設けられたボルト収容凹部（引掛面）を反力受承部として利用することにより、該反力受承部をウエイトに追加して設ける必要がなくなるので、カウンタウエイト装置の外観美を高めることができる。
【手続補正１４】
【補正対象書類名】明細書
【補正対象項目名】００７９
【補正方法】削除
【補正の内容】
【手続補正１５】
【補正対象書類名】明細書
【補正対象項目名】００８０
【補正方法】変更
【補正の内容】
【００８０】
また、請求項２の発明によれば、ボルトによって車体に取付けられるウエイトに、ボルト挿通孔の周囲に位置してボルトの頭部を収容するボルト収容凹部と、動力レンチを用いて前記ボルトを締付けるときの反力を受承する反力受承部とを設け、この反力受承部を、ボルト収容凹部とは異なる位置でウエイトに突設され前記動力レンチの反力受けが引掛けられる突起部により構成したので、動力レンチの反力受けをウエイトに設けた突起部に引掛けた状態で、動力レンチの回転源によってボルトを回転させることにより、動力レンチに作用する反力を、前記ウエイトの突起部によって受承することができる。
【手続補正１６】
【補正対象書類名】明細書
【補正対象項目名】００８１
【補正方法】変更
【補正の内容】
【００８１】
また、請求項３の発明によれば、ボルトによって車体に取付けられるウエイトに、ボルト挿通孔の周囲に位置してボルトの頭部を収容するボルト収容凹部と、動力レンチを用いて前記ボルトを締付けるときの反力を受承する反力受承部とを設け、この反力受承部を、ウエイトのうちボルト収容凹部とは異なる位置に凹設され前記動力レンチの反力受けが引掛けられる引掛凹部により構成したので、動力レンチの反力受けをウエイトに設けた引掛凹部に引掛けた状態で、動力レンチの回転源によってボルトを回転させることにより、動力レンチに作用する反力を、ウエイトの引掛凹部によって受承することができる。


【手続補正１７】
【補正対象書類名】明細書
【補正対象項目名】００８２
【補正方法】変更
【補正の内容】
【００８２】
さらに、請求項４の発明によれば、ボルトによって車体に取付けられるウエイトには、ボルト挿通孔の周囲に位置して前記ボルトの頭部を収容するボルト収容凹部と、動力レンチを用いてボルトを締付けるときの反力を受承する反力受承部とを設け、この反力受承部を、ウエイトに設けたボルト収容凹部に着脱可能に取付けられ、内周面に動力レンチの反力受けが引掛けられるアダプタにより構成したので、ウエイトに予め設けられているボルト収容凹部にアダプタを取付け、このアダプタの内周面に前記動力レンチの反力受けを引掛けることができる。このため、例えば動力レンチを用いることを想定せずにウエイトに設けられたボルト収容凹部、あるいは他社製のウエイトに設けられたボルト収容凹部等、動力レンチの反力受けを直接的に引掛けることができない既存のボルト収容凹部にアダプタを取付けることにより、該アダプタを反力受承部として用いることができ、動力レンチを用いてボルトを締付けるときの反力を、アダプタを介してウエイトによって確実に受けることができる。